(57)【特許請求の範囲】
【請求項１】
利用可能な複数種類の通信システムのうち、いずれかの通信システムを選択使用してデータ通信を実行する機能を備える携帯通信端末であって、
前記複数種類の通信システムのうち、ユーザが次回の通信要求時に使用する通信システムを予め登録するための手段と、
前記ユーザが次回の通信要求時に使用する、登録された前記通信システムのみ又は代替の通信システムのみを、アイコンを用いて画面表示するアイコン表示手段と、
前記ユーザが次回の通信要求時に使用する前記通信システムを優先通信システムとして予め登録したときは、登録した当該通信システムを優先的に使用する優先通信モードを設定する通信モード設定手段と、
前記優先通信モードが設定されたときであって、
前記優先通信システムが所定の条件を満足するときは、当該優先通信システムを選択して、前記アイコン表示手段に、ユーザが次回の通信要求時に使用する前記通信システムとしてアイコン表示させる一方、前記優先通信システムが前記所定の条件を満足しないときは、所定の条件を満足する非優先通信システムを代替的に選択して、前記アイコン表示手段に、ユーザが次回の通信要求時に使用する前記通信システムとして、アイコン表示させる制御部とを備えてなることを特徴とする携帯通信端末。
【請求項２】
利用可能な複数種類の通信システムのうち、いずれかの通信システムを選択してデータ通信を実行する機能を備える携帯通信端末であって、
前記複数種類の通信システムのうち、ユーザが次回の通信要求時に使用する通信システムを予め登録するための手段と、
前記ユーザが次回の通信要求時に使用する、前記登録された通信システムのみ又は代替の通信システムのみを、アイコンを用いて画面表示するアイコン表示手段と、
前記ユーザが次回の通信要求時に使用する前記通信システムを優先通信システムとして予め登録したときは、登録した当該通信システムを優先的に使用する優先通信モードを設定する通信モード設定手段と、
前記優先通信モードが設定されたときであって、
前記優先通信システムが圏内にあるとき、又は、圏外から圏内に移行したときは、当該優先通信システムを選択して、前記アイコン表示手段に、ユーザが次回の通信要求時に使用する前記通信システムとしてアイコン表示させる一方、前記優先通信システムが圏外にあるとき、又は、圏内から圏外に移行したときは、圏内にある非優先通信システムを代替的に選択して、前記アイコン表示手段に、ユーザが次回の通信要求時に使用する前記通信システムとして、アイコン表示させる制御部とを備えてなることを特徴とする携帯通信端末。
【請求項３】
前記通信モード設定手段は、通信用アプリケーションごとに、前記ユーザによる前記優先通信モードの設定が可能に構成されていることを特徴とする請求項１又は２記載の携帯通信端末。
【請求項４】
利用可能な複数種類の通信システムは、少なくとも、無線基地局と通信路を確立して通信を行う公衆回線通信ベアラと無線ＬＡＮアクセスポイントと通信路を確立して通信を行うＷＬＡＮベアラを備えてなることを特徴とする請求項１又は２記載の携帯通信端末。
【請求項５】
前記ユーザが次回の通信要求時に使用する前記通信システムを固定通信システムとして予め登録したときは、
前記通信モード設定手段は、登録された当該通信システムのみを使用する固定通信モードを設定することを特徴とする請求項１又は２記載の携帯通信端末。
【請求項６】
前記アイコン表示は、ブラウザ表示画面内で行われることを特徴とする請求項１又は２記載の携帯通信端末。
【請求項７】
利用可能な複数種類の通信システムのうち、いずれかの通信システムを選択してデータ通信を実行する機能を備える携帯通信端末の表示部に、ユーザが次回の通信要求時に使用する通信システムのみをアイコン表示する方法であって、
前記複数種類の通信システムのうち、ユーザが次回の通信要求時に使用する通信システムを予め登録し、
前記ユーザが次回の通信要求時に使用する前記通信システムを優先通信システムとして予め登録したときは、登録した当該通信システムを優先的に使用する優先通信モードを設定し、
前記優先通信システムが所定の条件を満足するときは、当該優先通信システムを選択して、ユーザが次回の通信要求時に使用する前記通信システムとしてアイコン表示させる一方、前記優先通信システムが前記所定の条件を満足しないときは、所定の条件を満足する非優先通信システムを代替的に選択して、ユーザが次回の通信要求時に使用する前記通信システムとして、アイコン表示させることを特徴とする次回利用通信システムのアイコン表示方法。
【請求項８】
利用可能な複数種類の通信システムのうち、いずれかの通信システムを選択してデータ通信を実行する機能を備える携帯通信端末の表示部に、ユーザが次回の通信要求時に使用する通信システムのみをアイコン表示する方法であって、
前記複数種類の通信システムのうち、ユーザが次回の通信要求時に使用する通信システムを予め登録し、
前記ユーザが次回の通信要求時に使用する前記通信システムを優先通信システムとして予め登録したときは、登録した当該通信システムを優先的に使用する優先通信モードを設定し、
前記優先通信システムが圏内にあるとき、当該優先通信システムを選択して、ユーザが次回の通信要求時に使用する前記通信システムとしてアイコン表示させる一方、前記優先通信システムが圏外にあるとき、圏内にある非優先通信システムを代替的に選択して、ユーザが次回の通信要求時に使用する前記通信システムとして、アイコン表示させることを特徴とする次回利用通信システムのアイコン表示方法。
【請求項９】
前記ユーザによる前記優先通信システムの登録は、通信用アプリケーションごとに行われることを特徴とする請求項７又は８記載の次回利用通信システムのアイコン表示方法。
【請求項１０】
利用可能な複数種類の通信システムは、少なくとも、無線基地局と通信路を確立して通信を行う公衆回線通信ベアラと無線ＬＡＮアクセスポイントと通信路を確立して通信を行うＷＬＡＮベアラを備えてなることを特徴とする請求項７又は８記載の次回利用通信システムのアイコン表示方法。
【請求項１１】
前記ユーザが次回の通信要求時に使用する前記通信システムを固定通信システムとして予め登録したときは、登録した当該通信システムのみを使用する固定通信モードの設定も実施することを特徴とする請求項７又は８記載の次回利用通信システムのアイコン表示方法。
【請求項１２】
前記アイコン表示は、ブラウザ表示画面内で行われることを特徴とする請求項７又は８記載の次回利用通信システムのアイコン表示方法。
【請求項１３】
コンピュータに請求項７又は８記載の次回利用通信システムのアイコン表示方法を実行させることを特徴とするコンピュータ読み取り可能なアイコン表示制御プログラム。
【発明の詳細な説明】
【技術分野】
【０００１】
この発明は、携帯通信端末、該携帯通信端末で用いられるアイコン表示方法及びアイコン表示制御プログラムに係り、詳しくは、次回通信発生時に使用する通信システムをアイコン表示する機能を備える携帯通信端末該携帯通信端末で用いられるアイコン表示方法及びアイコン表示制御プログラムに関する。
【背景技術】
【０００２】
近年、発達した各種の無線通信システムや無線通信サービス（以下、まとめて通信ベアラともいう）に対応して、何れの無線通信システムにも接続可能な携帯通信端末が開発されている。具体的には、公衆回線アンテナモジュールだけでなく、ＷＬＡＮアンテナモジュールといった近距離無線通信を可能とする機能が搭載される機種が増加している。この携帯通信端末では、各種の無線通信システムのうち、手動により、あるいは、自動的に、いずれかの無線通信システムを選択してデータ通信を実行できるようになっている。
【０００３】
一般的な使い方としては、ＷＬＡＮ（Wireless Local Area Network、無線ＬＡＮ）アクセスポイントに接続できるＷＬＡＮ圏内のときには、公衆回線に比べて高速通信が行えるため、ブラウザを利用する際にはＷＬＡＮ通信ベアラを使って通信を行い、ＷＬＡＮ圏外のときには公衆回線通信ベアラを利用する。この通信ベアラ選択は、自動的に選択され（特許文献１、特許文献２）、あるいは、ユーザが手動で選択、変更することで、その利用シーンに合わせた幅広い使い方ができるが、ユーザが、これから通信を行うときに、どちらの通信ベアラを利用して通信が行われるのかが判らない状況が存在する。
【０００４】
特許文献１及び特許文献２に記載の携帯通信端末では、ＬＣＤ等のディスプレイ上段付近に、各種通信ベアラについて、電波の受信レベルを示す電波アイコンが表示されるため、利用される通信ベアラをある程度予測することが可能であり、受信レベルの高い通信ベアラを認識することもできる。
【特許文献１】特開２００３−３０９８７４号公報
【特許文献２】特開２００７−２５９０３９号公報
【発明の開示】
【発明が解決しようとする課題】
【０００５】
ところで、受信レベル重視モード、コスト重視モード、又は通信速度重視モ−ドの選択に基づき、通信ベアラ選択が自動的に行われる特許文献１に記載の構成に代えて、ユーザの恣意により、通信ベアラ選択を、利用通信ベアラの優先度を定める通信ベアラ優先、あるいは、利用通信ベアラを固定する通信ベアラ固定に設定できる携帯通信端末が望まれている。これは、熟知した道では、カーナビよりもドライバの記憶が優るの場合が多いことと類似している。
【０００６】
しかしながら、通信ベアラ優先、あるいは、通信ベアラ固定では、ユーザが通信ベアラ選択を通信ベアラ優先に設定しているのか、通信ベアラ固定に設定しているのかを忘れたとき等では、電波アイコンを見ただけでは、どちらのベアラが利用されるか、判らないという不都合がある。とくに、通信用アプリケーションごとに、異なる通信ベアラ優先、あるいは、通信ベアラ固定に設定している場合には、ことさら、判らないので、不愉快である。
【０００７】
この発明は、上述の事情に鑑みてなされたもので、電波アイコンに頼らずに、次回通信発生時に使用する通信ベアラを容易に認識することができる携帯通信端末、該携帯通信端末で用いられるアイコン表示方法及びアイコン表示制御プログラムを提供することを目的としている。
【課題を解決するための手段】
【０００８】
上記課題を解決するために、この発明の第１の構成は、利用可能な複数種類の通信システムのうち、いずれかの通信システムを選択使用してデータ通信を実行する機能を備える携帯通信端末に係り、前記複数種類の通信システムのうち、ユーザが次回の通信要求時に使用する通信システムを予め登録するための手段と、前記ユーザが次回の通信要求時に使用する、登録された前記通信システムのみ又は代替の通信システムのみを、アイコンを用いて画面表示するアイコン表示手段と、前記ユーザが次回の通信要求時に使用する前記通信システムを優先通信システムとして予め登録したときは、登録した当該通信システムを優先的に使用する優先通信モードを設定する通信モード設定手段と、前記優先通信モードが設定されたときであって、前記優先通信システムが所定の条件を満足するときは、当該優先通信システムを選択して、前記アイコン表示手段に、ユーザが次回の通信要求時に使用する前記通信システムとしてアイコン表示させる一方、前記優先通信システムが前記所定の条件を満足しないときは、所定の条件を満足する非優先通信システムを代替的に選択して、前記アイコン表示手段に、ユーザが次回の通信要求時に使用する前記通信システムとして、アイコン表示させる制御部とを備えてなることを特徴としている。
【０００９】
また、この発明の第２の構成は、利用可能な複数種類の通信システムのうち、いずれかの通信システムを選択してデータ通信を実行する機能を備える携帯通信端末に係り、前記複数種類の通信システムのうち、ユーザが次回の通信要求時に使用する通信システムを予め登録するための手段と、前記ユーザが次回の通信要求時に使用する、前記登録された通信システムのみ又は代替の通信システムのみを、アイコンを用いて画面表示するアイコン表示手段と、前記ユーザが次回の通信要求時に使用する前記通信システムを優先通信システムとして予め登録したときは、登録した当該通信システムを優先的に使用する優先通信モードを設定する通信モード設定手段と、前記優先通信モードが設定されたときであって、前記優先通信システムが圏内にあるとき、又は、圏外から圏内に移行したときは、当該優先通信システムを選択して、前記アイコン表示手段に、ユーザが次回の通信要求時に使用する前記通信システムとしてアイコン表示させる一方、前記優先通信システムが圏外にあるとき、又は、圏内から圏外に移行したときは、圏内にある非優先通信システムを代替的に選択して、前記アイコン表示手段に、ユーザが次回の通信要求時に使用する前記通信システムとして、アイコン表示させる制御部とを備えてなることを特徴としている。
【００１０】
また、この発明の第３の構成は、利用可能な複数種類の通信システムのうち、いずれかの通信システムを選択してデータ通信を実行する機能を備える携帯通信端末の表示部に、ユーザが次回の通信要求時に使用する通信システムのみをアイコン表示する方法に係り、前記複数種類の通信システムのうち、ユーザが次回の通信要求時に使用する通信システムを予め登録し、前記ユーザが次回の通信要求時に使用する前記通信システムを優先通信システムとして予め登録したときは、登録した当該通信システムを優先的に使用する優先通信モードを設定し、前記優先通信システムが所定の条件を満足するときは、当該優先通信システムを選択して、ユーザが次回の通信要求時に使用する前記通信システムとしてアイコン表示させる一方、前記優先通信システムが前記所定の条件を満足しないときは、所定の条件を満足する非優先通信システムを代替的に選択して、ユーザが次回の通信要求時に使用する前記通信システムとして、アイコン表示させることを特徴としている。
【００１１】
また、この発明の第４の構成は、利用可能な複数種類の通信システムのうち、いずれかの通信システムを選択してデータ通信を実行する機能を備える携帯通信端末の表示部に、ユーザが次回の通信要求時に使用する通信システムのみをアイコン表示する方法に係り、前記複数種類の通信システムのうち、ユーザが次回の通信要求時に使用する通信システムを予め登録し、前記ユーザが次回の通信要求時に使用する前記通信システムを優先通信システムとして予め登録したときは、登録した当該通信システムを優先的に使用する優先通信モードを設定し、前記優先通信システムが圏内にあるとき、当該優先通信システムを選択して、ユーザが次回の通信要求時に使用する前記通信システムとしてアイコン表示させる一方、前記優先通信システムが圏外にあるとき、圏内にある非優先通信システムを代替的に選択して、ユーザが次回の通信要求時に使用する前記通信システムとして、アイコン表示させることを特徴としている。
【発明の効果】
【００１２】
この発明の構成によれば、ブラウザ起動時に、ベアラ通信アイコンをユーザが確認できるので、ホームＵＲＬやブックマークからネットワークへ接続するときに、どのベアラを使用するのかを認識できる。
加えて、ブラウザで通信中に、優先通信ベアラが圏外のため非優先通信ベアラ使用中に、優先通信ベアラが圏内になったときに、ベアラ通信アイコンが自動的に切り替わるのをユーザが確認できるので、比較的通信速度の遅い公衆回線網を利用して大きなファイルをダウンロードしているときに、比較的高速通信を行うことができるＷＬＡＮ網が圏外から圏内へ変化したときには、ユーザが現在の通信をキャンセルして、再度ダウンロードを開始したときにＷＬＡＮ網を利用して高速にダウンロードすることができる。
さらにまた、ベアラ通信アイコンをユーザが見ることにより、ユーザが意図しないベアラを利用することで、通信費が発生してしまうのを防ぐこともできる。
【発明を実施するための最良の形態】
【００１３】
以下、図面を参照して、この発明の実施形態について詳細に説明する。
【実施形態１】
【００１４】
この発明を第１の実施形態である携帯通信端末１としては、図１、図２、図３及び図９に示すように、次回通信発生時に選択される通信システムを、アイコンを用いて画面表示するアイコン表示手段１０７、１１１と、通信要求時、複数種類の通信システムのうち、ユーザによって予め優先通信システムとして登録された通信システムを優先的に使用する優先通信モードの設定が少なくとも可能な通信モード設定手段１０５、１１１と、該通信モード設定手段１０５、１１１によって優先通信モードが設定されたときであって、優先通信システムが所定の条件を満足するときは（条件具備のとき）、当該優先通信システムを選択して、アイコン表示手段１０７、１１１に、次回通信発生時に使用する通信システムとしてアイコン２０１表示させる一方、優先通信システムが上記所定の条件を満足しないときは（条件不具備のとき）、所定の条件を満足する非優先通信システムを代替的に選択して、アイコン表示手段１０７、１１１に、次回通信発生時に使用する通信システムとして、アイコン２０１表示させる制御部１１１とを備えるようにする。
【００１５】
この優先通信モードでは、例えば、図９に示すように、優先通信システムが条件不具備でも非優先通信システムが条件具備のときは（同図のａ欄）、非優先通信システムがアイコン表示される。これ以外の状況下、すなわち、優先通信システムが条件具備で非優先通信システムも条件具備のとき（同図のｄ欄）、優先通信システムが条件不具備で非優先通信システムも条件不具備のとき（同図のｂ欄）、優先通信システムが条件具備で非優先通信システムが条件不具備のとき（同図のｃ欄）、優先通信システムがアイコン表示される。
【実施形態２】
【００１６】
この発明を第２の実施形態である携帯通信端末１としては、図１、図２、図３及び図６に示すように、通信モード設定手段１０５、１１１によって優先通信モードが設定されたときであって、優先通信システムが圏内にあるとき、又は、圏外から圏内に移行したときは、当該優先通信システムを選択して、アイコン表示手段１０７、１１１に、次回通信発生時に使用する通信システムとしてアイコン２０１表示させる一方、優先通信システムが圏外にあるとき、又は、圏内から圏外に移行したときは、圏内にある非優先通信システムを代替的に選択して、アイコン表示手段１０７に、次回通信発生時に使用する通信システムとして、アイコン２０１表示させる制御部１１１とをるようにする。
【００１７】
なお、上記通信モード設定手段による優先通信モードの設定は、通信用アプリケーションごとの設定が可能であるように構成しても良い。
また、利用可能な複数種類の通信システムは、少なくとも、無線基地局と通信路を確立して通信を行う公衆回線通信ベアラと無線ＬＡＮアクセスポイントと通信路を確立して通信を行うＷＬＡＮベアラを有している。
また、上記通信モード設定手段には、通信要求時、上記複数種類の通信システムのうち、ユーザによって予め固定通信システムとして登録された通信システムのみを使用する固定通信モードの設定も付加されている。
さらに、上記アイコン表示は、ブラウザ表示画面７内で行われる。
【実施例１】
【００１８】
以下、図面を参照して、この発明の実施例について詳細に説明する。
図１は、この発明の第１の実施例である通信ベアラ切替え機能を備える携帯通信端末の表示部に表示される通信ベアラアイコンの画面例を示す図、図２は、同携帯通信端末が利用できる複数の無線通信システムの全体的構成を示す概念図、また、図３は、同携帯通信端末の電気的構成を示すブロック図である。
【００１９】
まず、図２を参照して、この実施例の携帯通信端末が接続可能な複数の無線通信システムの構成概要について説明する。この例の携帯通信端末１は、携帯電話機に係り、同図に示すように、オペレータ（公衆回線）網２、ＷＬＡＮアクセスネットワーク３及びインターネット網４に直接的又は間接的に接続できる構成となっている。具体的には、携帯通信端末１は、無線基地局５との間で通信路を確立して、オペレータ網２へ接続する。また、携帯通信端末１は、オペレータ網２に設置されているプロキシ・サーバ２ａ経由で、オペレータ網２内の固有サイト２ｂを閲覧したり、インターネット網４へ接続することができる。さらに、携帯通信端末１は、ＷＬＡＮアクセスネットワーク３のＷＬＡＮアクセスポイント３ａとの間で通信路を確立して、オペレータ網２やインターネット網４へ接続することもできる。ここで、ＷＬＡＮアクセスネットワーク３には、家庭内ＬＡＮやイントラネットも含まれる。
【００２０】
次に、図３を参照して、携帯通信端末１の電気的構成について説明する。
この形態の携帯通信端末１は、主アンテナ１０１を介して、無線基地局５との間で通信路を確立して、無線信号を送受信する主無線部１０２と、無線ＬＡＮのチップを備え、副アンテナ１０３を介して、ＷＬＡＮアクセスポイント３ａとの間で通信路を確立して、近距離無線通信を行う副無線部１０４と、各種データを一時保持するためのＲＡＭ１０５と、携帯通信端末１の各種の設定情報、及び携帯通信端末１のソフトプログラムを格納しているＲＯＭ１０６と、電話番号及び各種設定情報を表示するＬＣＤ（液晶表示装置）等の表示部１０７と、キー入力を受付けるキー入力部１０８と、音声を出力するためのスピーカ部１０９と、音声を入力するためのマイク部１１０と、装置各部を制御するマイクロコンピュータを内蔵するコンピュータ構成の制御部（ＣＰＵ）１１１とから概略構成されている。上記ＲＯＭ１０６には、制御部１１１に、この実施例に係る、後述の次回利用通信システムのアイコン表示方法を実行させるアイコン表示制御プログラムも格納されている（図１、図４乃至図８参照）。
【００２１】
図４（ａ）は、従来の携帯通信端末１の表示部１０７に表示される一般的なブラウザ表示画面６を示す図で、ブラウザを用いることによって、インターネットで公開されているホームページを閲覧することが可能である。
図４（ｂ）は、この実施例の携帯通信端末１の表示部１０７に表示されるブラウザ表示画面７を示す図である。このブラウザ表示画面７には、通信ベアラアイコン２０１及び切替えアイコン２０２が設けられている。この通信ベアラアイコン２０１は、ブラウザ閲覧時に、次に、利用・接続すべき通信ベアラ（無線通信システム）を表示する機能を備えている。携帯通信端末１のユーザは、ブラウザ表示画面７内の通信ベアラアイコン２０１を見ることにより、次回通信時に接続すべき通信ベアラを確認できる。
【００２２】
図５（ａ）は、ブラウザ表示画面７ａを示し、ユーザが、次回通信時に利用する通信ベアラがＷＬＡＮ通信ベアラであることを表している。また、同図（ｂ）は、ブラウザ表示画面７ｂを示し、ユーザが、次回通信時に利用する通信ベアラが、例えば、ＦＯＭＡ（Freedom of Mobile Multimedia Access）等の公衆回線通信ベアラであることを表している。この通信ベアラアイコン２０１は、図５に示すように、切替えアイコン２０２を用いて、ＷＬＡＮ通信ベアラと公衆回線通信アイコンとをトグル的に手動切替えできる構成となっている。
【００２３】
この実施例では、図１に示すように、携帯通信端末１のブラウザが起動され（ステップＳＰ３０１）、ブラウザメニュー８が表示されると、通信ベアラアイコン２０１及び切替えアイコン２０２も表示される構成となっている。このとき、ＷＬＡＮ通信ベアラアイコンと公衆回線通信ベアラアイコンとのどちらの通信ベアラアイコン２０１が表示されるかは、図６に示す通信モード設定９の種類によって決定される。この通信モード設定９は、図６に示すように、ＷＬＡＮ優先９ａ、公衆回線優先９ｂ、ＷＬＡＮ固定９ｃ、及び公衆回線固定９ｄの４種類からなり、ＲＯＭ１０４に保持されている。
【００２４】
ここで、ＷＬＡＮ優先設定９ａを設定すると、ＷＬＡＮ通信ベアラと公衆回線通信ベアラとの両方を利用できる場合に、ＷＬＡＮ通信ベアラを優先的に使用すると定義されている。公衆回線優先設定９ｂを設定すると、ＷＬＡＮ通信ベアラと公衆回線通信ベアラとの両方を利用できる場合に公衆回線通信ベアラを優先的に使用すると定義されている。また、ＷＬＡＮ固定９ｃを設定すると、ＷＬＡＮ通信ベアラのみを使用すると定義されている。公衆回線固定９ｄを設定すると、公衆回線通信ベアラのみのみを使用すると定義されている。
【００２５】
別の言い方をすれば、この実施例では、ＷＬＡＮ優先設定９ａを設定すると、たとえ、受信レベル、コスト、又は通信速度の点で、公衆回線通信ベアラが優っている状況下でも、ＷＬＡＮ通信ベアラを優先的に使用する。また、公衆回線優先設定９ｂを設定すると、たとえ、受信レベル、コスト、又は通信速度の点で、ＷＬＡＮ通信ベアラが優っている状況下でも、公衆回線通信ベアラを優先的に使用する。ＷＬＡＮ固定９ｃを設定すると、たとえ、受信レベル、コスト、又は通信速度の点で、公衆回線通信ベアラが優っている状況下でも、ＷＬＡＮ通信ベアラのみを使用する。また、公衆回線固定９ｄを設定すると、たとえ、受信レベル、コスト、又は通信速度の点で、ＷＬＡＮ通信ベアラが優っている状況下でも、公衆回線通信ベアラのみのみを使用する。
【００２６】
ＷＬＡＮ優先９ａ設定時及び公衆回線優先９ｂ設定時には、通信ベアラアイコン２０１はどちらの網も利用できる状況が存在する。一方、ＷＬＡＮ固定９ｃ設定及び公衆回線固定９ｄ設定は、通信ベアラを固定して利用するために、通信ベアラアイコン２０１もどちらかに固定となる。
【００２７】
さらに具体的に言えば、通信モード設定９が、ＷＬＡＮ優先９ａに設定されているときは、図７（ａ）に示す各種通信ベアラ状況により、次回通信で利用される通信ベアラアイコン２０１が、ＷＬＡＮ通信ベアラアイコンなのか公衆回線通信ベアラアイコンなのかが決定される。例えば、ＷＬＡＮ網が圏外のときでも公衆回線網が圏内のときは、公衆回線ベアラ通信アイコンが表示部１０７に表示される。これ以外の状況下、すなわち、ＷＬＡＮ網が圏内で公衆回線網も圏内のとき、ＷＬＡＮ網が圏外で公衆回線網も圏外のとき、ＷＬＡＮ網が圏内で公衆回線網が圏外のとき、ＷＬＡＮベアラ通信アイコンが設定されて表示部１０７に表示される。
【００２８】
同様に、通信モード設定９が、公衆回線優先９ｂに設定されているときは、図７（ｂ）に示す各種通信ベアラ状況により、利用設定される通信ベアラアイコン２０１が、ＷＬＡＮ通信ベアラアイコンなのか公衆回線通信ベアラアイコンなのかが決定される。例えば、公衆回線網が圏外のときでもＷＬＡＮ網が圏内のときは、ＷＬＡＮ通信ベアラアイコンが表示部１０７に表示される。これ以外の状況下、すなわち、公衆回線網が圏内でＷＬＡＮ網も圏内のとき、公衆回線網が圏外でＷＬＡＮ網も圏外のとき、公衆回線網が圏内でＷＬＡＮ網が圏外のとき、公衆回線通信ベアラアイコンが設定されて表示部１０７に表示される。
【００２９】
制御部１１１は、ブラウザ起動時に、ＲＯＭ１０５内の（例えば、アプリケーションごとの）通信モード設定９を参照し、通信モード設定９が、ＷＬＡＮ優先９ａ又は公衆回線優先９ｂのときは、さらに、ＷＬＡＮ網が圏内であるか圏外であるか、また、公衆回線網が圏内であるか圏外であるかの状況に基づいて、次回通信に利用される通信ベアラアイコン２０１を決定して、表示部１０７に表示する。
【００３０】
図1に示すように、ブラウザメニュー８の画面に表示される通信ベアラアイコン２０１がＷＬＡＮ通信ベアラアイコンのときは、ブラウザメニュー８からユーザが接続したいＵＲＬ（Uniform Resource Locator）入力が完了したときに、ＷＬＡＮ通信ベアラを利用して通信を開始して、ＵＲＬ情報を入手することができる。以上が、ブラウザ起動時（ステップＳＰ３０１）の通信ベアラアイコンの決定方法である。
【００３１】
次に、この実施例の制御部が行う動作のうち、ブラウザ起動後・データ通信中の通信ベアラアイコンの動作について説明する。
ブラウザ起動後は、決定された通信ベアラ、すなわち、通信ベアラアイコン２０１に表示されている通信ベアラを利用して次回の通信が行われる。しかしながら、この実施径庭では、通信モード設定９が、ＷＬＡＮ優先９ａ、あるいは、公衆回線優先９ｂに設定にされているにも関わらず、優先通信ベアラが圏外であるため、やむをえず、非優先通信ベアラが利用されている状況下では、途中で、通信ベアラアイコン２０１が変更する状況が存在する。携帯通信端末１のユーザが移動することにより、優先網が圏外から圏内へ変化したときであり、このときは、制御部１１１は、優先設定の定義に基づき、次回通信時に使用すべき通信ベアラを優先通信ベアラに変更して表示部１０７に表示する。
【００３２】
例えば、通信モード設定９が、ＷＬＡＮ優先９ａが設定されているときに、ＷＬＡＮ網が圏外、公衆回線網が圏内のときは非優先通信ベアラである公衆回線通信ベアラを利用しているが、携帯通信端末１のユーザが移動することにより、ＷＬＡＮ網（優先網）が圏外から圏内へ変化したときには、次回通信ベアラをＷＬＡＮ通信ベアラ（優先通信ベアラ）に変更して表示部１０７に表示する。
同様に、通信モード設定９が、公衆回線優先９ｂが設定されているときは、公衆回線網が圏外、ＷＬＡＮ網が圏内のときは非優先通信ベアラであるＷＬＡＮベアラを利用しているが、携帯通信端末１のユーザが移動することにより、公衆回線通信網（優先網）が圏外から圏内へ変化したときには、次回通信ベアラを公衆回線通信ベアラ（優先通信ベアラ）に変更して表示部１０７に表示する。
このため、ブラウザ起動後に制御部１１１は、図８に示すアルゴリズムに従って、優先網の状態の監視を開始する。
【００３３】
次に、図８のフローチャートを参照して、制御部１１１の優先網・非優先網の状態監視動作について説明する。
ステップＳＰ３０１で、ユーザがブラウザの起動を要求したら（図１）、制御部１１１は、ＲＯＭ１０５内の通信モード設定９を参照し、参照の結果、通信モード設定９が、固定設定（ＷＬＡＮ固定９ｃ又は公衆回線固定９ｄ）であるときは、設定内容に基づいて、通信ベアラアイコン２０１を決定して、表示部１０７に表示する。
一方、参照の結果、通信モード設定９が、優先設定（ＷＬＡＮ優先９ａ又は公衆回線優先９ｂ）であるときは、さらに、優先網が圏内であるか圏外であるか、あるいは、非優先網が圏内であるか圏外であるか等の状況に基づいて、優先通信ベアラ又は非優先通信ベアラを選択決定して、通信ベアラアイコン２０１として、表示部１０７に表示する。
【００３４】
通信が確立すると、制御部１１１は、ステップＳＰ３０２へ進み、通信モード設定９が、優先設定（ＷＬＡＮ優先９ａ又は公衆回線優先９ｂ）であるか否かを判断し、判断の結果、固定設定（ＷＬＡＮ固定９ｃ又は公衆回線固定９ｄ）であるときは、通信ベアラアイコンを途中で自動変更する事態は起こり得ないので、当該監視処理を終了する。一方、判断の結果、優先設定（ＷＬＡＮ優先９ａ又は公衆回線優先９ｂ）であるときは、ステップＳＰ３０３へ進み、非優先通信ベアラでの通信の発生か否かを判断する。
【００３５】
ステップＳＰ３０３における判断の結果、非優先通信ベアラでの通信が発生しているときは、ステップＳＰ３０４へ進んで、優先通信ベアラ網が圏外から圏内になるのを監視する。
【００３６】
携帯通信端末１のユーザが移動することにより、優先通信ベアラ網が圏内になったときは、優先通信ベアラを利用することが可能となったので、制御部１１１は、ステップＳＰ３０５で通信ベアラアイコン２０１を非優先通信ベアラアイコンから優先通信ベアラアイコンに切り換える。携帯通信端末１のユーザは、表示部１０７の表示画面７から、通信ベアラアイコン２０１が変更されたことを認識できるので、次の通信時に優先通信ベアラが利用されることを確認できる。
【００３７】
この後、ステップＳＰ３０６へ進み、非優先通信ベアラでの通信が完了するまで待機する。そして、この通信が終了したときは、ステップＳＰ３０７へ進む。ステップＳＰ３０７では、ユーザによる通信要求が再度発生するまで（ブラウザ起動のまま）待機する。
【００３８】
もし、通信要求を検出したときは、ステップＳＰ３０８へ進み、優先通信ベアラを使用して通信を開始する。この後、ステップＳＰ３０９へ進み、優先通信ベアラ網が圏外になるのを監視する。もし、携帯通信端末１のユーザが移動することにより、優先通信ベアラ網が圏外になったときは、ステップＳＰ３１０へ進み、非優先通信ベアラ網が利用できるかを確認する。非優先通信ベアラ網が圏内のときは、ステップＳＰ３１１へ進み、ベアラ通信アイコン２０１を非優先通信ベアラのアイコンへ変更して、ステップＳＰ３０２へ進んで、次の通信要求に備える。一方、非優先通信ベアラ網も圏外のときは、優先、非優先通信ベアラ網が共に圏外のため、ベアラ通信アイコン２０１は、優先通信ベアラのアイコンのままとし、ステップＳＰ３０２へ進んで、次の通信要求に備える。
【００３９】
以上、この発明の実施形態及び実施例を図面を参照して詳述してきたが、具体的な構成はこの実施形態及び実施例に限られるものではなく、この発明の要旨を逸脱しない範囲の設計の変更等があってもこの発明に含まれる。例えば、利用できる通信ベアラは、公衆回線通信ベアラとＷＬＡＮ通信ベアラの限らず、複数種類の公衆回線通信ベアラ（公衆回線を用いる無線通信システム又はサービス）同士や複数種類のＷＬＡＮ通信ベアラ（ＷＬＡＮを用いる無線通信システム又はサービス）同士にも適用できる。利用可能な通信ベアラは、３種類以上でも良く、３種類以上のときは、第１優先通信ベアラ、第２優先通信ベアラ、…を設定するようにすれば良い。なお、この発明において、優先通信ベアラでの通信が完了した後、ブラウザ閲覧中に、優先通信ベアラ網が圏外になったときは、そのとき、非優先通信ベアラ網が圏内であれば、優先通信ベアラアイコン表示から、非優先通信ベアラアイコン表示に切り替わることは勿論である。
【産業上の利用可能性】
【００４０】
この発明は、携帯電話機に限らず、例えばＰＤＡ等の携帯通信端末に広く適用できる。
【図面の簡単な説明】
【００４１】
【図１】この発明の第１、第２の実施形態及び第１の実施例による通信ベアラ切替え機能を備える携帯通信端末の表示部に表示される通信ベアラアイコンの画面例を示す図である。
【図２】同携帯通信端末が利用できる複数の無線通信システムの全体的構成を示す概念図である。
【図３】同携帯通信端末の電気的構成を示すブロック図である。
【図４】この発明の第１の実施例によるブラウザ表示画面を示し、同図（ａ）は、従来のブラウザ表示画面を示す図、また、同図（ｂ）は、この実施形態のブラウザ表示画面を示す図である。
【図５】同実施例によるブラウザ表示画面を示し、同図（ａ）は、ＷＬＡＮの通信ベアラアイコンが表示されているブラウザ表示画面を示す図、また、同図（ｂ）は、公衆回線の通信ベアラアイコンが表示されているブラウザ表示画面を示す図である。
【図６】同実施例による通信モード設定の種類を示す概念図である。
【図７】通信モード設定が、優先に設定されているときの動作の説明に供される図である。
【図８】同携帯通信端末を構成する制御部が優先網・非優先網の状態を監視する際の動作処理手順を示すフローチャートである。
【図９】この発明の第１の実施形態による優先通信モード設定後の動作条件を説明するための図である。
【符号の説明】
【００４２】
１        携帯通信端末
２        オペレータ（公衆回線）網（通信システム）
３        ＷＬＡＮアクセスネットワーク（通信システム）
３ａ        無線ＬＡＮアクセスポイント
５        無線基地局
７        ブラウザ表示画面
９        通信モード設定
９ａ        ＷＬＡＮ優先
９ｂ        公衆回線優先
９ｃ        ＷＬＡＮ固定
９ｄ        公衆回線固定
１０５        ＲＯＭ（通信モード設定手段）
１０７        表示部（アイコン表示手段）
１１１        制御部（アイコン表示手段、通信モード設定手段）
２０１        通信ベアラアイコン（アイコン）
【図１】
0005136891.tif 000002
【図２】
0005136891.tif 000003
【図３】
0005136891.tif 000004
【図４】
0005136891.tif 000005
【図５】
0005136891.tif 000006
【図６】
0005136891.tif 000007
【図７】
0005136891.tif 000008
【図８】
0005136891.tif 000009
【図９】
0005136891.tif 000010